(57)【要約】    【課題】  読取方向が調整可能で、信頼性の高い携帯型光学情報読取装置を提供する。    【解決手段】  投光器３４及び受光センサ３８を収容する読取部３０と、処理回路５８と出力回路５２と電源回路５０とを収容する本体部２０とを別体に構成し、該読取部３０を、蛇腹部６０によって光学情報へ向けられるように本体部２０側から角度調整可能に保持させるため、読取方向が調整可能である。ここで、読取部３０から本体部２０へ信号は無線通信により送られ、本体部２０から読取部３０への電力はトランス７０を介して供給され、信号線、電力線が無いので、断線による故障が生じず、高い信頼性を備えることができる。【選択図】  図１
2007219900.tif 000002
【特許請求の範囲】
【請求項１】
光学情報に光を照射する投光手段と、該光学情報からの反射光を受光する受光センサと、該受光センサからの出力信号に基づき前記光学情報をデコードするデコード手段と、デコード結果を外部ホスト器側へ出力する出力手段と、電力を供給する電源部と、操作者に把持される把持部とを有する携帯型光学情報読取装置であって、
前記投光手段及び前記受光センサを収容する読取部と、
前記デコード手段と前記出力手段と前記電源部とを収容し、前記把持部が形成された本体部と、
前記読取部を前記光学情報へ向けられるように前記本体部側から角度調整可能に保持する屈曲部と、を備え、
前記読取部から前記本体部へ信号は、無線通信により送られ、
前記本体部から前記読取部への電力は、一次側コイルが前記本体部に取り付けられ、二次側コイルが前記読取部へ接続され、該二次側コイルが該一次側コイルに対して動き得るように構成されたトランスによって供給されることを特徴とする携帯型光学情報読取装置。
【請求項２】
光学情報に光を照射する投光手段と、該光学情報からの反射光を受光する受光センサと、該受光センサからの出力信号に基づき前記光学情報をデコードするデコード手段と、デコード結果を外部ホスト器側へ出力する出力手段と、電力を供給する電源部と、操作者に把持される把持部とを有する携帯型光学情報読取装置であって、
前記投光手段と前記受光センサと前記デコード手段とを収容する読取部と、
前記出力手段と前記電源部とを収容し、前記把持部が形成された本体部と、
前記読取部を前記光学情報へ向けられるように前記本体部側から角度調整可能に保持する屈曲部と、を備え、
前記読取部から前記本体部へ信号は、無線通信により送られ、
前記本体部から前記読取部への電力は、一次側コイルが前記本体部に取り付けられ、二次側コイルが前記読取部へ接続され、該二次側コイルが該一次側コイルに対して動き得るように構成されたトランスによって供給されることを特徴とする携帯型光学情報読取装置。
【請求項３】
前記読取部から前記本体部へ信号を送る無線通信は、前記トランスを介して行われることを特徴とする請求項１又は請求項２の携帯型光学情報読取装置。
【発明の詳細な説明】
【技術分野】
【０００１】
本発明は、商品等に印刷又は貼り付けられているバーコード等の一次元光学情報、ＱＲコード（登録商標）等の二次元光学情報を読み取る光学情報読取装置に関し、特に、携帯可能な携帯型光学情報読取装置に関するものである。
【背景技術】
【０００２】
現在、小売店等でＰＯＳシステムを採用するため、商品情報をバーコード化して商品に付加することが行われている。ここで、バーコード等の一次元コーでは情報量に限界があるため、生産管理等の分野では、より多くの情報を担持し得るＱＲコード等の二次元情報コードが用いられている。
【０００３】
ここで、バーコードは、一方光へ走査光を操作させることにより比較的簡単に読み取ることができる。一方、ＱＲコード等の二次元情報コードは、例えば、斜め方向から読取を行うと、像が歪み、適正な読み取りが困難になる。このため、二次元情報コードに対して、受光センサが決められた位置へ向くように、光学情報読取装置の姿勢を保持しなけらばならない。
【０００４】
読み取られる二次元情報コードは、製品の種々の位置に付されており、読み取り作業を行う際には、上述した読み取り条件に合うような姿勢に光学情報読取装置を保持せねばならない。従って、操作者の操作姿勢や、二次元情報コードの位置等によって、光学情報読取装置の操作が難くなることがあった。係る課題に対応するため特許文献１には、読み取り部を内蔵する読み取りヘッドを、本体に対して姿勢を変えられるようにしたデータシンボル読み取り装置が開示されている。
【特許文献１】特開平７−２７１８９１号公報
【発明の開示】
【発明が解決しようとする課題】
【０００５】
しかしながら、特許文献１では、図５中に示されているように、読み取りヘッドと本体とを配線により接続しており、読み取りヘッドの姿勢調整を行う際に配線へ張力が加わり、断線の生じるおそれがあった。
【０００６】
本発明は、上述した課題を解決するためになされたものであり、その目的とするところは、読取方向が調整可能で、信頼性の高い携帯型光学情報読取装置を提供することにある。
【課題を解決するための手段】
【０００７】
上記目的を達成するため、請求項１の発明は、光学情報Ｑに光を照射する投光手段３４と、該光学情報Ｑからの反射光を受光する受光センサ３８と、該受光センサ３８からの出力信号に基づき前記光学情報Ｑをデコードするデコード手段５８と、デコード結果を外部ホスト器側へ出力する出力手段５２と、電力を供給する電源部５０と、操作者に把持される把持部２４とを有する携帯型光学情報読取装置１０であって、
前記投光手段３４及び前記受光センサ３８を収容する読取部３０と、
前記デコード手段５８と前記出力手段５２と前記電源部５０とを収容し、前記把持部２４が形成された本体部２０と、
前記読取部３０を前記光学情報Ｑへ向けられるように前記本体部２０側から角度調整可能に保持する屈曲部６０と、を備え、
前記読取部３０から前記本体部２０へ信号は、無線通信により送られ、
前記本体部２０から前記読取部３０への電力は、一次側コイル７１が前記本体部２０に取り付けられ、二次側コイル７２が前記読取部３０へ接続され、該二次側コイル７２が該一次側コイル７１に対して動き得るように構成されたトランス７０によって供給されることを技術的特徴とする。
【０００８】
請求項１の携帯型光学情報読取装置１０では、投光手段３４及び受光センサ３８を収容する読取部３０と、デコード手段５８と出力手段５２と電源部５０とを収容する本体部２０とを別体に構成し、該読取部３０を、屈曲部６０によって光学情報Ｑへ向けられるように本体部２０側から角度調整可能に保持させるため、読取方向が調整可能である。ここで、読取部３０から本体部２０へ信号は無線通信により送られ、本体部２０から読取部３０への電力はトランス７０を介して供給され、信号線、電力線が無いので、該読取部３０を屈曲部６０によって本体部２０側から角度調整可能に保持させても断線による故障が生じず、高い信頼性を備えることができる。ここで、一次側コイル７１が本体部２０に取り付けられ、二次側コイル７２が読取部３０へ接続され、該二次側コイル７２が該一次側コイル７１に対して動き得るように構成されたトランス７０を用いるので、該読取部３０を屈曲部６０によって本体部２０側から角度調整可能に保持させても、電力線を用いず本体部２０から読取部３０へ電力を供給することができる。
【０００９】
請求項２の発明は、光学情報Ｑに光を照射する投光手段３４と、該光学情報Ｑからの反射光を受光する受光センサ３８と、該受光センサ３８からの出力信号に基づき前記光学情報Ｑをデコードするデコード手段５８と、デコード結果を外部ホスト器側へ出力する出力手段５２と、電力を供給する電源部５０と、操作者に把持される把持部２４とを有する携帯型光学情報読取装置１０であって、
前記投光手段３４と前記受光センサ３８と前記デコード手段５８とを収容する読取部３０と、
前記出力手段５２と前記電源部５０とを収容し、前記把持部２４が形成された本体部２０と、
前記読取部３０を前記光学情報Ｑへ向けられるように前記本体部２０側から角度調整可能に保持する屈曲部６０と、を備え、
前記読取部３０から前記本体部２０へ信号は、無線通信により送られ、
前記本体部２０から前記読取部３０への電力は、一次側コイル７１が前記本体部２０に取り付けられ、二次側コイル７２が前記読取部３０へ接続され、該二次側コイル７２が該一次側コイル７１に対して動き得るように構成されたトランス７０によって供給されることを技術的特徴とする。
【００１０】
請求項２の携帯型光学情報読取装置１０では、投光手段３４、受光センサ３８、デコード手段５８を収容する読取部３０と、出力手段５２と電源部５０とを収容する本体部２０とを別体に構成し、該読取部３０を、屈曲部６０によって光学情報Ｑへ向けられるように本体部２０側から角度調整可能に保持させるため、読取方向が調整可能である。ここで、読取部３０から本体部２０へ信号は無線通信により送られ、本体部２０から読取部３０への電力はトランス７０を介して供給され、信号線、電力線が無いので、該読取部３０を屈曲部６０によって本体部２０側から角度調整可能に保持させても断線による故障が生じず、高い信頼性を備えることができる。また、読取部３０側にデコード手段５８を設け、デコードされた信号を本体部２０へ送るため、情報量が少なく、簡単に無線により読取部３０から本体部２０へ送ることができる。ここで、一次側コイル７１が本体部２０に取り付けられ、二次側コイル７２が読取部３０へ接続され、該二次側コイル７２が該一次側コイル７１に対して動き得るように構成されたトランス７０を用いるので、該読取部３０を屈曲部６０によって本体部２０側から角度調整可能に保持させても、電力線を用いず本体部２０から読取部３０へ電力を供給することができる。
【００１１】
請求項３の携帯型光学情報読取装置では、読取部３０から本体部２０へ信号を送る無線通信が電力供給用トランス７０を介して行われるため、別途送受信用空中線を設ける必要がなく、廉価に構成できる。
【発明を実施するための最良の形態】
【００１２】
[第１実施形態]
以下、本発明の光学的情報読取装置の第１実施形態について図を参照して説明する。まず、第１実施形態に係る情報コード読取装置１０の構成概要を図１の説明図に基づいて説明する。
バーコード、ＱＲコード等の情報コードＱを読み取る情報コード読取装置１０は、本体部２０と、読取部３０とを別体に備え、屈曲部６０を構成する蛇腹部６０により、該読取部３０は本体部２０に対して角度調整可能に保持されている。
【００１３】
読取部３０は、例えば、ＡＢＳ樹脂等の合成樹脂からなるケーシング３２の一端に読取口３２ａを備える。読取口３２ａの近傍には、情報コードＱ側へ光を照射する投光器３４と、情報コードＱで反射された光を結像する結像レンズ３６と、この情報コードＱの像を光電変換して読み取る受光センサ３８とが設けられている。該読取部３０には、更に、受光センサ３８で光電変換された出力信号を増幅する増幅回路４０と、増幅されたアナログ信号をデジタル信号に変化するＡ／Ｄ変換回路４４と、Ａ／Ｄ変換回路４４からの信号を無線送信するための無線モジュル４６とを備える。該無線モジュル４６には、無線送信用のアンテナ６６が接続されている。
【００１４】
本体部２０は、ＡＢＳ樹脂等の合成樹脂からなる箱状ケーシング２２の下面に、取っ手状の把持部２４が一体に形成されてなる。把持部２４には、情報コードの読み取りを開始させるためのトリガースイッチ２６が取り付けられている。該ケーシング２２内には、読取部３０の無線モジュル４６からの電波をアンテナ６４を介して受信する無線モジュル４９と、種々の制御を行うＣＰＵ５６と、無線モジュル４９を介して受信されたデータをデコード（解読）して、情報コードが表している情報を得る処理回路５８と、デコードされたデータを一旦記憶するメモリ５４と、メモリ５４から読み出された情報を、所定タイミングでコンピュータ等の外部ホスト側へ出力する出力回路５２と、電力を供給するための電源回路５０とが設けられている。
【００１５】
ＡＢＳ樹脂等の硬質樹脂又は金属板により形成された蛇腹６２からなる蛇腹部６０には、本体部２０の電源回路５０から供給される電力を読取部３０側へ伝達するトランス７０を備える。蛇腹６２は、屈曲調整可能であると共に、屈曲された状態を維持し得るように構成されている。トランス７０の一次側コイル７１は、本体部２０に取り付けられ、二次側コイル７２が読取部３０へ接続され、該二次側コイル７２が該一次側コイル７１に対して動き得るように構成されている。
【００１６】
該トランス７０の構成について図６を参照して説明する。
図６（Ａ）は、情報コード読取装置１０のトランスの平面図であり、図６（Ｂ）は、該トランスのＢ矢視図である。一次側コイル７１と、二次側コイル７２とは、櫛歯状に形成された先端部７１ａ、７２ａに巻線が収容され、該先端部７１ａ、７２ａが噛合し、鉄心７３により枢支され、図６（Ｂ）に示すように二次側コイル７２が一次側コイル７１に対して鉛直方向へ回動可能に支持されている。一方、一次側コイル７１には、通孔７４ａを有する突片７４が形成されており、該通孔７４ａに、本体部２０側から延在するＬ字状支持桿７５が挿通されることで、図６（Ａ）に示すように、水平方向への回動が可能なように支持されている。一次側コイル７１には、電源回路５０からの交流電力が給電線８１を介して給電され、二次側コイル７２には、給電線８２が接続されている。ここでは、一次側コイル７１側を本体部２０へ取り付けたが、二次側コイル７２側を読取部３０に取り付け、一次側コイル７１と本体部２０とを配線により接続することも、また、一次側コイル７１を本体部２０へ、二次側コイル７２を読取部３０へ取り付けることも可能である。
【００１７】
第１実施形態の情報コード読取装置１０では、投光器３４及び受光センサ３８を収容する読取部３０と、処理回路５８と出力回路５２と電源回路５０とを収容する本体部２０とを別体に構成し、該読取部３０を、蛇腹部６０によって情報コードへ向けられるように本体部２０側から角度調整可能に保持させるため、読取方向が調整可能である。ここで、読取部３０から本体部２０へ信号は無線通信により送られ、本体部２０から読取部３０への電力はトランス７０を介して供給され、信号線、電力線が無いので、該読取部３０を蛇腹部６０によって本体部２０側から角度調整可能に保持させても断線による故障が生じず、高い信頼性を備えることができる。ここで、一次側コイル７１が本体部２０に取り付けられ、二次側コイル７２が読取部３０へ接続され、該二次側コイル７２が該一次側コイル７１に対して動き得るように構成されたトランス７０を用いるので、該読取部３０を蛇腹部６０によって本体部２０側から角度調整可能に保持させても、電力線を用いず本体部２０から読取部３０へ電力を供給することができる。
【００１８】
[第２実施形態]
引き続き、本発明の第２実施形態に係る情報コード読取装置１０について図２を参照して説明する。
図１を参照して上述した第１実施形態では、無線モジュル４６と無線モジュル４９とで、アンテナ６６、６４を介して読取部３０側から本体部２０へ信号を送った。これに対して、第２実施形態では、読取部３０側の増幅回路４０で増幅された信号が、ＦＭ変調回路４７でＦＭ信号に変調され、トランス７０を介して本体部２０側のＦＭ復調回路４８へ送られ、該ＦＭ復調回路４８で復調されてからＡ／Ｄ変換回路４４でデジタル信号に変換される。
【００１９】
第２実施形態の情報コード読取装置１０では、読取部３０から本体部２０へ信号を送る無線通信が電力供給用のトランス７０を介して行われるため、別途送受信用アンテナを設ける必要がなく、廉価に構成できる利点がある。
【００２０】
図３は、第２実施形態の改変例に係る情報コード読取装置１０を示している。当該改変例では、読取部３０に受光センサ３８と共に、ＦＲ（Radio  Frequency）ＩＤリーダ５９が搭載され、ＦＲＩＤタグも併せて読み取れるようになっている。
【００２１】
[第３実施形態]
本発明の第３実施形態に係る情報コード読取装置１０について図４を参照して説明する。図１を参照して上述した第１実施形態では、読取部３０側から画像信号が本体部２０へ送られ、本体部２０でデコード処理がなされた。これに対して、第３実施形態の情報コード読取装置１０では、読取部３０側で、画像信号からデコードがなされ、２値化データにしてから本体部２０へ送信される。
【００２２】
読取部３０は、増幅回路４０及びＡ／Ｄ変換回路４４と共に、種々の制御を行うＣＰＵ５６と、撮像されたデータをデコード（解読）して、情報コードが表している情報を得る処理回路５８と、デコードされたデータを一旦記憶するメモリ５４と、デコードされたデータをＦＭ信号に変調するＦＭ変調回路４７とを備える。
【００２３】
第３実施形態の情報コード読取装置１０では、読取部３０側にデコードを行う処理回路５８を設け、デコードされた２値化信号を本体部２０へ送るため、情報量が少なく、簡単に無線により読取部から本体部へ送ることができる。
【００２４】
[第４実施形態]
引き続き、本発明の第４実施形態に係る情報コード読取装置１０について図５を参照して説明する。
上述した第１実施形態〜第３実施形態では、本体部２０に把持部２４が設けられていた。また、読取部３０の受光センサ３８は、イメージセンサから構成されていた。これに対して、第４実施形態では、本体部２０が筒型に形成され、操作者により直接把持させるペンシル型の光学情報読取装置として構成されている。また、受光センサ３８は、操作者の手動によって走査される手動走査型が用いられている。第４実施形態では、本体部２０を把持するペンシル型光学情報読取装置においても、手首の角度等を調整する必要がないので、無理無く情報コードＱを読み取ることができる。
【図面の簡単な説明】
【００２５】
【図１】本発明の第１実施形態に係る情報コード読取装置の説明図である。
【図２】第２実施形態に係る情報コード読取装置の説明図である。
【図３】第２実施形態の改変例に係る情報コード読取装置の説明図である。
【図４】第３実施形態に係る情報コード読取装置の説明図である。
【図５】第４実施形態に係る情報コード読取装置の説明図である。
【図６】図６（Ａ）は、第１実施形態の情報コード読取装置のトランスの平面図であり、図６（Ｂ）は、該トランスのＢ矢視図である。
【符号の説明】
【００２６】
１０  情報コード読取装置（携帯型光学情報読取装置）
２０  本体部
２４  把持部
３０  読取部
３４  投光器（投光手段）
３８  受光センサ
４４  ＦＭ変調器
４６  無線モジュル
４８  ＦＭ復調器
４９  無線モジュル
５０  電源回路（電源部）
５２  出力回路（出力手段）
５８  処理回路（デコード手段）
６０  蛇腹部（屈曲部）
７０  トランス
７１  一次側コイル
７２  二次側コイル
Ｑ  情報コード
【図１】
2007219900.tif 000003
【図２】
2007219900.tif 000004
【図３】
2007219900.tif 000005
【図４】
2007219900.tif 000006
【図５】
2007219900.tif 000007
【図６】
2007219900.tif 000008